(57)【要約】【課題】  同一の内容の付加情報を持つ画像データを複数持つことになり、ハードディスクやメモリ上での画像データの管理が煩雑になり、且つハードディスクやメモリの格納領域を大量に消費するという問題が発生してしまう。【解決手段】  第一の格納手段に格納されている画像データを判定手段により判定された色空間に変換手段で変換し、あわせて第二の格納手段に格納された付加情報を持つ画像データを判定手段で判定された色空間に変換手段で変換した後に合成する。【選択図】        図１
2007013841.tif 000002
【特許請求の範囲】
【請求項１】
原稿画像を読み取る読み取り手段と、
前記読み取り手段により読み取られた画像を格納する第一の格納手段と、
前記読み取り手段により読み取られた画像を格納する第二の格納手段と、
前記第一の格納手段に格納された画像と、前記第二の格納手段に格納された画像データを合成する合成手段と、
画像を送信する送信手段と、
前記第一の格納手段および前記第二の格納手段に格納された画像の色空間を変換する変換手段をもつカラー画像入出力装置において、
送信手段により送信する前に送信すべき画像の色空間を判定する判定手段と、
前記第一の格納手段に格納されている画像を前記判定手段により判定された色空間に前記変換手段で変換し、あわせて前記第二の格納手段に格納された画像を、前記前記判定手段で判定された色空間に前記変換手段で変換した後、前記合成手段で合成し送信することを特徴とするカラー画像入出力装置。
【請求項２】
複数の送信プロトコルに対応したカラー画像入出力装置であって、送信先に応じて上記変換処理を行うか否かを判断することを特徴とする請求項１記載のカラー画像入出力装置。
【請求項３】
原稿がカラーか、白黒かを指定する操作部、もしくは原稿がカラーか、白黒かを自動判定する原稿色判定部を有し、原稿色判定部の結果に応じて前記第一の格納手段に格納されている画像と、
前記第二の格納手段に格納されている画像の色空間を変換することを特徴とする請求項１記載のカラー画像入出力装置。
【発明の詳細な説明】
【技術分野】
【０００１】
本発明は、カラー画像入力装置に関するものであり、特に画像送信時の画像合成に関する発明である。
【背景技術】
【０００２】
近年、メモリやハードディスクの大容量化に伴い、スキャンした画像をプリントするだけでなく、ネットワークや電話回線を通した送信が容易に実現できるようになってきた。一方、送信画像も白黒からカラーへ、２値画像から、多値画像へと情報量は増え、原稿に忠実な画像が送信できるようになっている。また、画像処理機能が豊富になり、合成画像を送信できるようにしたものも考案されている。
【０００３】
たとえば、原稿読み取り装置で原稿の画像をデジタル画像としてメモリやハードディスクに保存しておき、あらかじめメモリやハードディスクなどに保存してある画像と合成した上でユーザーの指定した送信先に対してネットワークや電話回線を介して転送するような機能が存在する。あらかじめメモリやハードディスクなどに保存されている画像には、付加情報として送信者の名前や会社名、会社の所属、送信される文章の扱いに関する一般的な記述（「機密」や「草案」など）が記載されており、これにより定型的な情報の付加を自動的に行うことが可能になるため、ユーザーの負荷を軽減することが可能になる。
【特許文献１】特開平１０−２２９４６４号公報
【発明の開示】
【発明が解決しようとする課題】
【０００４】
しかしながら、前述のように送信手段がネットワークや電話回線など多岐に渡るようになったことにより、あらかじめメモリやハードディスクなどに保存しておく画像データも送信手段に応じて複数用意しなくてはならない。
【０００５】
たとえば、ネットワーク上のコンピュータに対してカラー画像を送信する場合には、コンピュータが使用できるＲＧＢの色空間をもつ画像データとして送信しなくてはならず、また電話回線上のＦＡＸなどに送信する場合には二値の画像データとして送信しなくてはならない。
【０００６】
したがって合成される付加情報の記載された画像データもそれぞれの場合に応じてＲＧＢの色空間を持った画像データ、二値の画像データとそれぞれ持つ必要がある。これは同一の内容の付加情報を持つ画像データを複数持つことになり、ハードディスクやメモリ上での画像データの管理が煩雑になり、且つハードディスクやメモリの格納領域を大量に消費するという問題が発生してしまう。
【０００７】
同時に原稿の色を自動的に識別して画像データの色空間を設定するような場合には、ユーザーは想定される色空間のすべてに対応するための付加情報を持つ画像データを作成しなくてはならない。もしこれを行わない場合には、付加情報を持つ画像データを読み込んだ画像データに対して合成して送信できなくなってしまう。このような作業は一般ユーザーに対して送信する方法とそれに対応する色空間を意識させ、且つ原稿の色を自動的に識別したときの組み合わせを考慮して付加情報を持つ画像データを作成させるという非常に技術的な知識と手間を要求することになる。
【０００８】
本発明は、以上に述べたような問題点に着目して成されたものであって、手間も管理も容易になり且つハードディスクやメモリ領域を大量に消費することのないカラー画像入出力装置の提供を目的とする。
【課題を解決するための手段】
【０００９】
上述の目的を達成するため、本発明のカラー画像入出力装置は以下の構成を備える。
【００１０】
原稿画像を読み取る読み取り手段と、前記読み取り手段により読み取られた画像を格納する第一の格納手段と、前記読み取り手段により読み取られた画像を格納する第二の格納手段と、前記第一の格納手段に格納された画像と、前記第二の格納手段に格納された画像データを合成する合成手段と、画像を送信する送信手段と、前記第一の格納手段および前記第二の格納手段に格納された画像の色空間を変換する変換手段をもつカラー画像入出力装置において、送信手段により送信する前に送信すべき画像の色空間を判定する判定手段と、前記第一の格納手段に格納されている画像を前記判定手段により判定された色空間に前記変換手段で変換し、あわせて前記第二の格納手段に格納された画像を、前記前記判定手段で判定された色空間に前記変換手段で変換した後、前記合成手段で合成し送信することを特徴とする。
【発明の効果】
【００１１】
本発明によれば、付加情報つきの画像データは送信する画像データの色空間に依存しない形で、ひとつだけメモリやハードディスクに保存しておけばよくなり、送信する画像の色空間ごとに付加情報つきの画像データを作成しなくて済むため、手間も管理も容易になり且つハードディスクやメモリ領域を大量に消費することがなくなる。
【発明を実施するための最良の形態】
【００１２】
以下に本発明を実施するための最良の形態を、実施例に基づいて説明する。
【００１３】
なお、本発明はカラー画像入出力装置による送信動作という形態になる。
【実施例１】
【００１４】
以下、本発明にかかる一実施形態について、図面を参照して詳細に説明する。
【００１５】
図１は、本発明の実施例を示す画像形成装置システムの全体の構成を説明するブロック図である。画像形成装置２００は、画像入力デバイスであるスキャナ部２０７０、画像出力デバイスであるプリンタ部２０９５、Ｃｏｎｔｒｏｌｌｅｒ  Ｕｎｉｔ２０００、ユーザーインターフェースである操作部２０１２から構成される。スキャナ部２０７０、プリンタ部２０９５、操作部２０１２は、それぞれＣｏｎｔｒｏｌｌｅｒ  Ｕｎｉｔ２０００に接続され、Ｃｏｎｔｒｏｌｌｅｒ  Ｕｎｉｔ２０００は、ＬＡＮ２０１１などのネットワーク伝送手段、公衆回線に接続されている。公衆回線からはカラー画像送信を含むＧ３、Ｇ４ファックスによる送信が可能である。また、ＬＡＮ２０１１には、画像形成装置２００と同様の機器構成をもつ他の画像形成装置２２０、２３０が接続されえている。また、パーソナルコンピュータ（以下ＰＣ）２４０が接続されていて、ＦＴＰ，ＳＭＢプロトコルを使用したファイルの送受信、電子メールの送受信ができる。画像形成装置２２０、２３０は、それぞれスキャナ部２２７０、２３７０、プリンタ部２２９５、２３９５、操作部２２１２、２３１２を持ち、それらがＣｏｎｔｒｏｌｌｅｒ  Ｕｎｉｔ２２００、２３００に接続されている。
【００１６】
図２は、画像形成装置の構成を説明するブロック図である。
【００１７】
Ｃｏｎｔｒｏｌｌｅｒ  Ｕｎｉｔ２０００は画像入力デバイスであるカラースキャナ２０１５や画像出力デバイスであるカラープリンタ２０１７と接続し、一方ではＬＡＮ２０１１や公衆回線（ＷＡＮ）２０５１と接続することで、画像情報やデバイス情報の入出力を行う為のコントローラである。
【００１８】
ＣＰＵ２００１はシステム全体を制御するコントローラである。
【００１９】
ＲＡＭ２００２はＣＰＵ２００１が動作するためのシステムワークメモリであり、画像データを一時記憶するための画像メモリでもある。
【００２０】
ＲＯＭ２００３はブートＲＯＭであり、システムのブートプログラムが格納されている。
【００２１】
ＨＤＤ２００４はハードディスクドライブで、システムソフトウェア、画像データを格納する。
【００２２】
操作部Ｉ／Ｆ２００５は操作部（ＵＩ）２００６とのインタフェース部で、操作部２００６に表示する画像データを操作部２００６に対して出力する。また、操作部２００６から本システム使用者が入力した情報を、ＣＰＵ２００１に伝える役割をする。
【００２３】
Ｎｅｔｗｏｒｋ２００７はＬＡＮ２０１１に接続し、情報の入出力を行う。Ｍｏｄｅｍ２０５０は公衆回線２０５１に接続し、画像情報の入出力を行う。
【００２４】
２値画像回転２０５２、および２値画像圧縮・伸張２０５３はＭｏｄｅｍ２０５０で２値画像を送信する前に画像の方向を変換したり、所定の解像度、あるいは相手能力に合わせた解像度に変換するためのものである。
【００２５】
ＤＭＡＣ２００９は、ＲＡＭ２００２に格納されている画像をＣＰＵ２００１を介することなく読み取り、ＩｍａｇｅＢｕｓＩ／Ｆ２０３１に対して画像転送する、もしくは画像バスからの画像をＣＰＵ２００１を介することなくＲＡＭ２００２に書き込む。以上のデバイスがシステムバス２００８に接続される。
【００２６】
ＩｍａｇｅＢｕｓＩ／Ｆ２０３１は画像バス２０１０を介して高速な画像の入出力を制御するためのインタフェースである。
【００２７】
圧縮器２０１２は画像バス２０１０に画像を送出する前に３２画素×３２画素の単位でＪＰＥＧ圧縮するための圧縮器である。
【００２８】
伸張器２０１３は画像バス２０１０を介して送られた画像を伸張するための伸張器である。
【００２９】
ラスターイメージプロセッサ（ＲＩＰ）２０１８はホストコンピュータからのＰＤＬコードを、Ｎｅｔｗｏｒｋ２００７を介して受け取り、システムバス２００８を通して、ＣＰＵ２００１がＲＡＭ２００２に格納する。ＣＰＵ２００１はＰＤＬを中間コードに変換し、再度システムバス２００８を介してＲＩＰ２０１８に入力し、ビットマップイメージ（多値）に展開する。
【００３０】
スキャナ画像処理２０１４はスキャナ２０１５からのカラー画像、白黒画像に対して、適切な各種画像処理（たとえば補正、加工、編集）を行い出力する（多値）。同様にプリンタ画像処理２０１６はプリンタ２０１７に対して適切な各種画像処理（たとえば補正、加工、編集）を行うプリント時は伸張２０１３で２値多値変換を行うので、２値、および多値出力が可能である。
【００３１】
画像変換部２０３０はＲＡＭ２００２上にある画像を画像変換し、再度、ＲＡＭ２００２に戻すときに使われる各種画像変換機能を有する。
【００３２】
回転器２０１９は３２画素×３２画素単位の画像を指定された角度で回転でき、２値、および多値の入出力に対応している。
【００３３】
変倍器２０２０は画像の解像度を変換（たとえば６００ｄｐｉから２００ｄｐｉ）したり、変倍したりする機能（たとえば２５％から４００％まで）を有する。変倍する前には３２×３２画素の画像を３２ライン単位の画像に並び替える。
【００３４】
色空間変換２０２１は多値入力された画像をマトリクス演算、およびＬＵＴにより、たとえばメモリ上にあるＹＵＶ画像をＬａｂ画像に変換し、メモリ上に格納する。また、この色空間変換は３×８のマトリクス演算および、１次元ＬＵＴをもち、公知の下地とばしや裏写り防止を行うことができる。変換された画像は多値で出力される。
【００３５】
２値多値変換２０２２は１ｂｉｔ２値画像を多値８ｂｉｔ、２５６階調にする。逆に多値２値変換２０２５はたとえばメモリ上にある８ｂｉｔ、２５６階調の画像を誤差拡散処理などの手法により１ｂｉｔ、２階調に変換し、メモリ上に格納する。
【００３６】
合成２０２３はメモリ上の２枚の多値画像画像を合成し、１枚の多値画像にする機能を有する。たとえば、メモリ上にある会社ロゴの画像と原稿画像を合成することで、原稿画像に簡単に会社ロゴをつけることができる。
【００３７】
間引き２０２４は多値画像の画素を間引くことで、解像度変換を行うユニットであり１／２，１／４，１／８の多値画像を出力可能である。変倍２０２０と合わせて使うことで、より広範囲な拡大、縮小を行うことができる。
【００３８】
移動２０２５は入力された２値画像、多値画像に余白部分をつけたり、余白部分を削除したりして出力することができる。
【００３９】
回転２０１９、変倍２０２０、色空間変換２０２１、２値多値２０２２、合成２０２３、間引き２０２４、移動２０２５、多値２値２０２６ははそれぞれ連結して動作することが可能で、たとえばメモリ上の多値画像を画像回転、解像度変換する場合は、両処理をメモリを介さずに連結して行うことができる。
【００４０】
図３に画像の形式を示す。本発明で使用される画像の形式は、特開２００１−１０３４７３号公報で開示されている画像パケット構造を利用する。
【００４１】
圧縮２０１２ではラスタ形式の画像を、図３のごとく３２×３２画素単位のパケットとして並び替え、パケット単位でＪＰＥＧ圧縮を行う。同時にパケットにパケットの位置を示すＩＤ、色空間、ＱテーブルＩＤ、データ長などの情報を付加してヘッダーとする。文字、写真を示す２値のデータ（像域フラグ）も同様に圧縮して、ＪＰＥＧの後ろに付随させる。
【００４２】
図４にパケットデータを示す。伸張２０１３ではこのヘッダー情報をもとにＪＰＥＧを展開し、ラスタ画像に並び替える。このようなパケット画像にすることで、画像回転のときにはパケット内部の画像のみを回転し、パケットＩＤの位置を変更することで、部分的に伸張圧縮で回転することができるため非常に効率がよい。画像バス２０１０を流れる画像はすべてパケット画像になる。
【００４３】
ＦＡＸ送信や２値画像回転２０５２、２値画像圧縮・伸張２０５３などでラスタ画像が必要な場合は、パケット画像からラスタ画像への変換をソフトウェアによって行う。
【００４４】
図５にスキャナ画像処理の詳細説明を示す。スキャナから入力されたＲＧＢ各８ｂｉｔの輝度信号は画像領域イネーブル生成部２５１０により、使用者からの指示に基づいて原稿画像領域の必要部分の区間を後段の画像処理に流すよう設定される。ここには入力画像を３２×３２画素単位になるように余分に画像を読み取るよう設定しておく。その後、マスキング２５０１により、ＣＣＤのフィルタ色に依存しない標準的なＲＧＢ色信号に変換される。
【００４５】
フィルタ２５０２では、たとえば９×９のマトリクスを使用し、画像をぼかしたり、メリハリをつける処理が行われる。
【００４６】
ヒストグラム２５０３は、入力画像中の画像信号データのサンプリングをする処理部であり、入力画像の下地レベル判定に使用される。このモジュールでは主走査方向、副走査方向にそれぞれ指定した開始点から終了点で囲まれた矩形領域内のＲＧＢデータを、主走査方向、副走査方向に一定のピッチでサンプリングし、ヒストグラムを作成する。このヒストグラムは、下地とばしや、裏写り防止が指定されたとき、読み出され、ヒストグラムから原稿の下地を推測し、下地とばしレベルとして、画像とともにメモリやＨＤＤに保存、管理され、印刷や送信時の画像処理に使用される。
【００４７】
ガンマ２５０４では、画像全体の濃度を濃く、あるいは薄くするように処理が行われる。たとえば入力画像の色空間を任意の色空間に変換したり、入力系の色味に関する補正処理を行う部分である。
【００４８】
２５１１の画像シフトでは、主走査、副走査とも３２×３２画素以内のシフト機能を有しており、入力された画像をどちら方向へシフトするのか、および、シフトすることによりパディングの位置が変わるため、その色を指定できるようになっている。
【００４９】
原稿がカラーか白黒かを判断するために、変倍前の画像信号を色空間変換２５０５によって公知のＬａｂに変換する。このうちａ、ｂは色信号成分を表しており、比較器２５０６内の所定のレベル以上であれば有彩色、そうでなければ無彩色として１ｂｉｔの判定信号を比較器２５０６から出力する。
【００５０】
カウンタ２５０７は比較器からの出力を計測する。
【００５１】
文字／写真判定２５０８は画像から文字エッジを抽出し、画像を文字と写真に分離する機能である。出力として、文字写真判定信号が得られる。この信号も画像とともにメモリやＨＤに格納され、印刷時に使用される。
【００５２】
２５０９は特定原稿判定器である。特定原稿判定器２５０９は入力画像信号と、判定器内部で持つパターンがどの程度一致するかを比較し、図示したように一致、不一致という判定結果を読み出すことが可能である。判定結果に応じて、画像を加工し、紙幣や有価証券などの偽造を防止する。
【００５３】
図６にプリンタ画像処理の詳細説明を示す。
【００５４】
２６０１は画像データの地色をとばし、不要な下地のカブリ除去を行う。たとえば、３×８のマトリクス演算や、１次元ＬＵＴにより下地とばしを行う。
【００５５】
２６０２はカラー画像データをモノクロデータに変換し、単色としてプリントする際に、カラー画像データ、たとえばＲＧＢデータを、Ｇｒａｙ単色に変換するモノクロ生成部である。たとえば、ＲＧＢに任意の定数を掛け合わせ、Ｇｒａｙ信号とする１×３のマトリクス演算から構成される。
【００５６】
２６０３は、画像データを出力するプリンタ部の特性に合わせて色補正を行う出力色補正部である。たとえば、４×８のマトリクス演算や、ダイレクトマッピングによる処理から構成される。
【００５７】
２６０４は、画像データの空間周波数を任意に補正するフィルタ処理部であり、たとえば９×９のマトリクス演算を行う処理から構成される。
【００５８】
２６０５は、出力するプリンタ部の特性に合わせて、ガンマ補正を行う処理であり、通常１次元のＬＵＴから構成される。
【００５９】
２６０６は、出力するプリンタ部の階調数に合わせて任意の中間調処理を行う処理部であり、２値化や３２値化など、任意のスクリーン処理や、誤差拡散処理を行う中間調処理部である。
【００６０】
各処理は図示しない文字／写真判定信号によって切り替えることも可能である。
【００６１】
ドラム間遅延メモリ２６０７は、ＣＭＹＫの各色のドラムを持つカラープリンタにおいて、ＣＭＹＫの印字タイミングをドラム間分ずらすことで、ＣＭＹＫ画像を重ね合わせるためのメモリである。ＣＭＹＫ各色４ドラムを持つカラープリンタにおいて画像の位置を合わせるために遅延させることができる。
【００６２】
画像入出力デバイスを図７に示す。
【００６３】
画像入力デバイスであるスキャナ部２０１５は、原稿となる紙上の画像を照明し、ＣＣＤラインセンサ（図示せず）を走査することで、ラスターイメージデータとして電気信号に変換する。
【００６４】
原稿用紙は原稿フィーダ２７０１のトレイ２７０２にセットし、装置使用者が操作部２００６から読み取り起動指示することにより、コントローラＣＰＵ２００１がスキャナ２０１５に指示を与え、フィーダ２０７１のトレイ２７０２から原稿用紙を１枚ずつフィードし原稿画像の読み取り動作を行う。
【００６５】
画像出力デバイスであるプリンタ部２０１７は、ラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示によって開始する。
【００６６】
プリンタ部２０９５には、異なる用紙サイズまたは異なる用紙向きを選択できるように複数の給紙段を持ち、それに対応した用紙カセット２７０３、２７０４、２７０５がある。また、排紙トレイ２７０６は印字し終わった用紙を受ける排紙トレイである。
【００６７】
操作部２００６の構成を図８に示す。
【００６８】
ＬＣＤ表示部２８０１は、ＬＣＤ上にタッチパネルシート２８０２が貼られており、システムの操作画面およびソフトキーを表示するとともに、表示してあるキーが押されるとその位置情報をコントローラＣＰＵ２００１に伝える。
【００６９】
スタートキー２８０３は、原稿画像の読み取り動作を開始する時などに用いる。スタートキー２８０３中央部には、緑と赤の２色ＬＥＤ２８０４があり、その色によってスタートキー２８０３が使える状態にあるかどうかを示す。
【００７０】
ストップキー２８０５は稼働中の動作を止める働きをする。ＩＤキー２８０６は、使用者のユーザーＩＤを入力する時に用いる。リセットキー２８０７は操作部からの設定を初期化する時に用いる。
【００７１】
図９は、本実施例の画像形成装置における初期画面であり、各画像形成機能設定後に戻ってくる標準画面でもある。
【００７２】
３１０１は、コピー設定を行うための画面切り替えを行う。
【００７３】
３１０２は、スキャンした画像をファックスや電子メールで送信する設定を行うための画面切り替えを行う。
【００７４】
３１０３は、内蔵ＨＤＤにスキャン画像、ＰＤＬ画像を格納する、あるいは格納されたスキャン画像、ＰＤＬ画像を印字、あるいは送信する、あるいは編集する設定を行うための画面切り替えを行う。
【００７５】
３１０４は、読込設定３１０５によって設定された画像読み込み時の設定を表示するためのウィンドウである。
【００７６】
３１０５は、画像読み込み時の解像度、濃度などを設定する。３１０６はタイマー送信時のタイマー設定、ＨＤＤあるいはプリンタに印字する場合の設定などを行う。
【００７７】
３１０７は、３１０８の宛先表によって指定された送信宛先の表示を行う。３１０９は３１０７に表示された１宛先の詳細な情報の表示を行う。３１１０は３１０７に表示された１宛先の消去を行う。
【００７８】
図１０は、読込設定３１０５を押下したときに表示されるポップアップウィンドウである。
【００７９】
３２０１は、読み取り原稿サイズをポップアップのなかから選択入力し、設定された読み取りサイズは３２０２に表示される。
【００８０】
３２０３は、原稿の読み取りモードを選択するところであり、押下するとカラー／ブラック／自動（ＡＣＳ）の３種類が選択できる。カラーモードに関してはコピー、ボックスでも同様に選択ができる。カウンタ２５０７の計測結果が所定値よりも小さければ白黒原稿、大きければカラー原稿と判断し、カラーの場合はカラー画像を、ブラックの場合には白黒画像を、ＡＣＳの場合にはカラー画像と原稿がカラーか白黒かを判別した結果を蓄積する。
【００８１】
３２０４は、読み取りの解像度を指定するためポップアップからの選択入力になる。
【００８２】
３２０５は原稿の読み取り濃度を調整するためのスライダであり、９段階の調整が行える。
【００８３】
３２０６は新聞のように下地がかぶった画像を読み込む場合に、濃度を自動的に決定するためにある。３２０６についてはコピーでも同様の設定が可能である。
【００８４】
図１１にコピータブ３１０１を押下したときの画面を示す。
【００８５】
３３０１は、コピーできる状態が否かを示すところであり、同時に設定したコピー部数も表示される。
【００８６】
３３０２は、３２０６と同等の機能であり、下地除去を自動的にするか否かを選択するためのボタンである。
【００８７】
３３０３は、３２０５と同等の機能であり、９段階の濃度調整が可能なスライダである。
【００８８】
３３０４は、原稿のタイプを選択するところであり、文字・写真・地図、文字、印画紙写真、印刷写真が選択できる。
【００８９】
３３０５は、応用モードボタンであり、縮小レイアウト（複数枚の原稿を１枚の用紙に縮小印字する機能）や、カラーバランス（ＣＭＹＫの各色微調整）などが設定できる。
【００９０】
３３０６は、各種フィニッシングにかかわる設定を行うボタンであり、シフトソート、ステープルソート、グループソートが設定できる。
【００９１】
３３０７は両面読み込み、および、両面印刷にかかわる設定を行うボタンである。
【００９２】
図１２にボックスタブ３１０３を押下したときの画面を示す。
【００９３】
３４０１はＨＤＤを論理的に区分した各フォルダを示す。フォルダにはフォルダ番号があらかじめ割り振られており、３４０１は０番のフォルダになる。フォルダ番号の横にはフォルダで使用しているディスク容量の割合が表示されている。また、フォルダには任意の名前をつけることができ、名前もここに表示される。３４０２には、ＨＤＤ全体の使用量が表示される。
【００９４】
図１３に３４０１を押下したときの画面を示す。
【００９５】
３５０１および３５０２は、フォルダに格納されている文書を示す。文書は複数のページで構成されている。３５０１はスキャンした文書であり、スキャン文書であることを示すアイコン表示、および、ＨＤＤ使用量、さらにユーザーが任意に設定できる文書名表示を表示している。３５０２はＰＤＬから格納したＰＤＬ文書であるアイコンが表示されている。アイコンを押下することで、その文書が選択されたことが反転表示によって示される。
【００９６】
３５０３は、選択された文書を送信するためのボタンである。
【００９７】
３５０４は、スキャナから原稿を読み込み、文書を生成するためのボタンである。
【００９８】
３５０５は、フォルダ内のすべての文書を選択するためのボタンである。３５０６は、選択された文書を削除するためのボタンである。３５０７は、選択された文書を印刷するためのボタンである。３５０８は、選択された文書を編集するためのボタンである。たとえば２つの文書を選択して、結合し、１つの文書にして保存したり、特定のページを削除する機能を持っている。
【００９９】
３５０９は、最後に選択された文書の詳細情報を表示するためのボタンである。文書名以外にも解像度、原稿サイズ、カラーなどの情報をみることができる。
【０１００】
図１４にソフト構成図を示す。４０１０は表示操作部を制御するＵＩ制御部であり、ＵＩ制御部４０１０からの指示を受け、コピー動作、送信動作、ボックス画面からのスキャン、プリントを実行するコピーアプリケーション部４０２０、送信アプリケーション部４０２１、ＢＯＸアプリケーション部４０２２がある。
【０１０１】
またネットワークアプリケーション４１２０からのＰＤＬプリントデータを受け、ＰＤＬプリントジョブを投入するＰＤＬアプリケーション部４０２３がある。
【０１０２】
４０３０は機器制御部分の機器依存部分を吸収するための共通インタフェース部分、４０４０は共通インタフェース４０３０から受け取ったジョブ情報を整理し、下位層のドキュメント処理部に伝達するジョブマネージャである。ドキュメント処理部は、ローカルコピーであれば、スキャンマネージャ４０５０とプリントマネージャ４０９０、リモートコピーの送信ジョブ、あるいは送信ジョブであればスキャンマネージャ４０５０とファイルストアマネージャ４１００、リモートコピーの受信ジョブであればファイルリードマネージャ４０６０とプリントマネージャ４０９０、ＬＩＰＳやＰｏｓｔＳｃｒｉｐｔなどのＰＤＬプリントではＰＤＬマネージャ４０７０とプリントマネージャ４０９０である。
【０１０３】
各ドキュメントマネージャ間の同期とり、および各種画像処理を行うイメージマネージャ４１１０への画像処理の依頼はシンクマネージャ４０８０を介して行う。スキャン、プリント時の画像処理や画像ファイルの格納はイメージマネージャ４１１０が行う。
【０１０４】
まずローカルコピーのソフト処理について説明する。使用者の指示によりＵＩ制御部４０１０からコピー指示とともにコピーの設定がコピーアプリケーション部４０２０に伝わる。
【０１０５】
コピーアプリケーション部４０２０はＵＩ制御部４０１０からの情報を共通インタフェース４０３０を介して、機器制御を行うジョブマネージャ４０４０に伝える。
【０１０６】
ジョブマネージャ４０４０はスキャンマネージャ４０５０とプリントマネージャ４０９０にジョブの情報を伝達する。
【０１０７】
スキャンマネージャ４０５０は図示しないデバイスＩ／Ｆ（デバイスＩ／Ｆはコントローラ２０００とスキャナ２０１５、およびコントローラ２０００とプリンタ２０１７を結ぶシリアルＩ／Ｆ）を介してスキャナ２０７０にスキャン要求を行う。また、同時にシンクマネージャ４０８０を介してイメージマネージャ４１１０にスキャン用の画像処理要求をだす。
【０１０８】
イメージマネージャ４１１０は、スキャンマネージャ４０５０の指示に従って、スキャナ画像処理部２０１４の設定を行う。設定が完了したら、シンクマネージャ４０８０を介してスキャン準備完了を伝える。
【０１０９】
その後、スキャンマネージャ４０５０はスキャナ２０７０に対してスキャンを指示する。スキャン画像転送完了は図示しないハードウェアからの割り込み信号によってイメージマネージャ４１１０に伝わる。
【０１１０】
イメージマネージャ４１１０からのスキャン完了を受けて、シンクマネージャ４０８０はスキャン完了を、スキャンマネージャ４０５０、プリントマネージャ４０９０に伝える。同時に、シンクマネージャ４０８０は、ＲＡＭ２００２に蓄積された圧縮画像をＨＤＤ２００４にファイル化するためイメージマネージャ４１１０に指示する。
【０１１１】
イメージマネージャ４１１０は、指示に従ってメモリ上の画像（文字／写真判定信号を含めて）をＨＤＤ２００４に格納する。画像の付随情報として図示しないＳＲＡＭにカラー判定／白黒判定結果、下地とばしを行うための下地とばしレベル、画像入力元としてスキャン画像、色空間ＲＧＢも格納しておく。また、ＨＤＤ２００４への格納が終了し、スキャナ２０７０からのスキャン完了を受けたら、シンクマネージャ４０８０を介してスキャンマネージャ４０５０にファイル化終了を通知する。
【０１１２】
スキャンマネージャ４０５０はジョブマネージャ４０４０に対して終了通知を返し、ジョブマネージャ４０４０は共通インタフェース４０３０を介してコピーアプリケーション部４０２０へ返す。
【０１１３】
プリントマネージャ４０９０はメモリに画像が入った時点でデバイスＩ／Ｆを介して、プリンタ２０９５に印刷要求をだす。同時にシンクマネージャ４０８０にプリント画像処理要求を行う。
【０１１４】
シンクマネージャ４０８０はプリントマネージャ４０９０から要求を受けたら画像処理設定をイメージマネージャ４１１０に依頼する。
【０１１５】
イメージマネージャ４１１０は前記の画像の付随情報に従ってプリンタ画像処理部２０１６の設定を行い、シンクマネージャ４０８０を介してプリントマネージャ４０９０にプリント準備完了を伝える。
【０１１６】
プリントマネージャ４０９０はプリンタに対して印刷指示をだす。プリント画像転送完了は図示しないハードウェアからの割り込み信号によってイメージマネージャ４１１０に伝わる。イメージマネージャ４１１０からのプリント完了を受けてシンクマネージャ４０８０はプリント完了をプリントマネージャ４０９０に伝える。
【０１１７】
プリントマネージャ４０９０はプリンタ部からの排紙完了を受け、ジョブマネージャ４０４０に対して終了通知を返し、ジョブマネージャ４０４０は共通インタフェース４０３０を介してコピーアプリケーション部４０２０へ返す。コピーアプリケーション部４０２０はスキャン、プリントが終了したらジョブ終了をＵＩ制御部に通知する。
【０１１８】
リモートコピーのスキャンジョブ、送信ジョブの場合は、プリントマネージャ４０９０に代わってストアマネージャ４１００がジョブマネージャ４０４０からの要求を受ける。
【０１１９】
スキャン画像をＨＤＤに格納し終わった時点で、シンクマネージャ４０８０から格納完了通知を受け、それを共通インタフェース４０３０を介してリモートコピーならコピーアプリケーション部４０２０に、送信ジョブなら送信アプリケーション部４０２１に通知する。コピーアプリケーション部４０２０、送信アプリケーション４０２１はこの通知のあと、ネットワークアプリケーション４１２０に対してＨＤＤに格納されたファイルの送信を依頼する。
【０１２０】
依頼を受けたネットワークアプリケーション４１２０がファイルを送信する。ネットワークアプリケーション４１２０はジョブ開始時にコピーアプリケーション部４０２０からコピーに関する設定情報を受け、それもリモート側の機器に通知する。ネットワークアプリケーション４１２０はリモートコピーの場合、機器固有の通信プロトコルを使用して送信を行う。また送信ジョブの場合はＦＴＰ、ＳＭＢのような標準的なファイル転送プロトコルを使用する。
【０１２１】
ファックス送信する場合はファイル格納後、送信アプリケーション４０２１から共通インタフェース４０３０、ジョブマネージャ４０４０を介してＦＡＸマネージャ４０４１に送信が指示される。ＦＡＸマネージャ４０４１はＭｏｄｅｍ２０５０を介して、相手機器とネゴシエーションし、必要な画像処理（カラー−＞白黒変換、多値２値変換、回転、変倍）をイメージマネージャ４１１０に依頼し、変換後の画像をＭｏｄｅｍを使って送信する。
【０１２２】
また、送信先にプリンタがある場合、送信アプリケーション４０２１は共通インタフェース４０３０を介してプリントジョブとしてプリントの指示を行う。そのときの動作は以下で説明するリモートコピーのプリントジョブの場合と同様である。また、送信宛先が機器内のボックス宛先になっているときはファイルストアマネージャ４１００によって機器内のファイルシステムに格納する。
【０１２３】
ＦＡＸ受信時はＦＡＸマネージャ４０４１がＭｏｄｅｍを使って画像を受信し、画像ファイルとしてＨＤＤ２００４に格納する。ＨＤＤ２００４格納後にボックスアプリケーション４０２２に通知すると、ボックスアプリケーション４０２２から受信プリントの指示が共通インタフェース４０３０を介して、ジョブマネージャ４０４０になされる。その後は通常のボックスプリントジョブと同じ動作になるため省略する。
【０１２４】
リモートコピーのプリントジョブの場合は、送信側からの画像をネットワークアプリケーション４１２０がＨＤＤに保存するとともにコピーアプリケーション部４０２０に対してジョブを発行する。
【０１２５】
コピーアプリケーション部４０２０は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。受信画像をＨＤＤからメモリに展開するための要求をシンクマネージャ４０８０を介して、イメージマネージャ４１１０に行う。
【０１２６】
イメージマネージャ４１１０はメモリに画像を展開する。イメージマネージャ４１１０は展開が終了した時点で、展開終了をシンクマネージャ４０８０を経由して、ファイルリードマネージャ４０６０とプリントマネージャ４０９０に伝える。
【０１２７】
プリントマネージャ４０９０はメモリに画像が入った時点でデバイスＩ／Ｆを介して、プリンタ２０１７にジョブマネージャから指示された給紙段、もしくはその用紙サイズを有する段を選択し、印刷要求をだす。自動用紙の場合には画像サイズから給紙段を決定し印刷要求をだす。同時にシンクマネージャ４０８０にプリント画像処理要求を行う。
【０１２８】
シンクマネージャ４０８０はプリントマネージャ４０９０から要求を受けたらプリント画像処理設定をイメージマネージャ４１１０に依頼する（このときたとえば最適サイズ用紙がなくなり、回転が必要になれば別途回転指示も依頼する。回転指示があった場合にはイメージマネージャ４１１０が画像回転２０１９を使って画像を回転する。）。
【０１２９】
イメージマネージャ４１１０はプリンタ画像処理部２０１６の設定を行い、シンクマネージャ４０８０を介してプリントマネージャ４０９０にプリント準備完了を伝える。
【０１３０】
プリントマネージャ４０９０はプリンタに対して印刷指示をだす。プリント画像転送完了は図示しないハードウェアからの割り込み信号によってイメージマネージャ４１１０に伝わる。
【０１３１】
イメージマネージャ４１１０からのプリント完了を受けてシンクマネージャ４０８０はプリント完了をファイルリードマネージャ４０６０とプリントマネージャ４０９０に伝える。ファイルリードマネージャ４０６０は終了通知をジョブマネージャ４０４０に返す。プリントマネージャ４０９０はプリンタ部からの排紙完了を受け、ジョブマネージャ４０４０に対して終了通知を返す。ジョブマネージャ４０４０は共通インタフェース４０３０を介してコピーアプリケーション部４０２０へ終了通知を返す。コピーアプリケーション部４０２０はスキャン、プリントが終了したらジョブ終了をＵＩ制御部に通知する。
【０１３２】
ＰＤＬデータ展開格納ジョブの場合は、ＰＤＬプリントを投入したホストＰＣからの要求がネットワークアプリケーション４１２０を経由してＰＤＬアプリケーション４０２３に伝達される。
【０１３３】
ＰＤＬアプリケーション４０２３がＰＤＬデータ展開格納ジョブを、共通インタフェース４０３０を介してジョブマネージャ４０４０に指示する。このときＰＤＬマネージャ４０７０とストアマネージャ４１００がジョブマネージャ４０４０からの要求を受ける。画像のＲＩＰが終了した後の画像入力する部分に関しては前述のスキャンジョブと同様である。メモリ上の画像（文字／写真判定信号を含めて）をＨＤＤ２００４に格納する。画像の付随情報として図示しないＳＲＡＭにカラー／白黒情報、画像入力元としてＰＤＬ画像、色空間ＣＭＹＫもしくはＲＧＢも格納しておく。ＰＤＬ画像をＨＤＤ２００４に格納し終わった時点で、シンクマネージャ４０８０から格納完了通知を受け、それを共通インタフェース４０３０を介してＰＤＬアプリケーション４０２３に通知する。ＰＤＬアプリケーション４０２３はこの通知のあと、ネットワークアプリケーション４１２０にＨＤＤに格納完了を通知し、ＰＤＬプリントを投入したホストＰＣへこの情報が伝達される。また、ＰＤＬプリントジョブの場合にはＰＤＬマネージャ４０７０とプリントマネージャ４０９０によって、メモリ上に展開された画像を印字する。
【０１３４】
ＰＤＬ展開され格納された画像のプリントはＵＩで印刷指示された格納文書をＢＯＸアプリケーションに対してプリントジョブとして発行する。
【０１３５】
ＢＯＸアプリケーション部４０２２は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。
【０１３６】
印刷指示された画像をＨＤＤからメモリに展開するための要求をシンクマネージャ４０８０を介して、イメージマネージャ４１１０に行う。この後の動作はリモートコピーのプリントジョブで説明した動作と同様のため、省略する。
【０１３７】
次に本実施例の中心部となる、合成時の色空間変換の制御について説明する。
【０１３８】
まず、画像を合成して、合成した画像を送信するときの画像フローについて図１５を使って説明する。
【０１３９】
４０５２は画像メモリであり、スキャンもしくはＨＤＤに格納されているユーザーが送信を望む画像データが格納される。メモリに格納されるのは図４で説明したパケットデータの集合である。
【０１４０】
４０５６も同様の画像メモリであり、ユーザーが前もってスキャンからＲＡＭ２００２またはＨＤＤ２００４に格納した付加情報を持つ画像データをカラー画像として格納するところである。この付加情報をもつカラー画像データも図４で説明したパケットデータの集合として格納されている。
【０１４１】
４０５３、４０５７は色空間変換処理であり、色空間変換２０２１を使って行う。
【０１４２】
４０５４、４０５８は色空間変換処理された画像が図４で説明したパケットデータの集合として可能される画像メモリである。
【０１４３】
４０５９は合成処理であり、合成２０２３を使って行う。
【０１４４】
４０６０は合成後のパケットデータの集合が入る画像メモリである。
【０１４５】
４０６１は４０６０に格納された合成後のパケットデータを送信先に応じて解像度変換、回転処理、圧縮処理する画像加工処理である。処理後の画像は４０６２の送信用画像メモリに入る。その後４０６２に格納された送信用の画像がＮｅｔｗｏｒｋやＦＡＸを介して送信される。
【０１４６】
具体的な例として、図１６にＦＡＸを介して送信される場合の画像処理を、図１７にネットワークを介して送信される場合の画像処理を示す。
【０１４７】
ＦＡＸを介して画像を送信する場合には４１０１のスキャナ２０１５またはＨＤＤ２００４から画像メモリ４１０２に対してパケットデータの集合としてカラーの画像データを転送し、次に画像メモリ４１０２のカラー画像データに対して色空間変換処理を色空間変換２０２１、多値二値２０２６を使用して行い、画像メモリ４１０４に色空間変換の終了した画像を転送する。このとき色空間変換２０２１は多値二値２０２６で画像を変換したときに最適になるような色空間変換を行う。
【０１４８】
次にあらかじめユーザーによってＲＡＭ２００２またはＨＤＤ２００４に格納された付加情報をもつカラー画像データを画像メモリ４１０６に転送する。
【０１４９】
画像メモリ４１０６に転送された画像データは、前述のスキャナ２０１５またはＨＤＤ２００４から画像メモリ４１０２に転送されたカラー画像データと同様に、色空間変換処理を色空間変換２０２１、多値二値２０２６を介して行われ、画像メモリ４１０８に格納される。
【０１５０】
画像メモリ４１０４と画像メモリ４１０８は合成処理を合成２０２３で行われた後画像メモリ４１１１に保存され、その後ＦＡＸ送信用の画像処理として解像度変換を変倍２０２０で、回転処理を回転２０５２で、ＦＡＸ用の圧縮処理を二値画像圧縮処理を２値画像圧縮・伸張２０５３で行われた後画像メモリ４１１３に格納される。尚２値画像圧縮・伸張２０５３の圧縮処理は、受信側のＦＡＸ機器に合わせてＭＲ圧縮、ＭＭＲ圧縮、ＭＨ圧縮のいずれかが行われる。
【０１５１】
また同様に変倍２０２０を用いた解像度変換処理も受信側のＦＡＸの能力にあわせて行われる。このような受信側のＦＡＸ機器の受信能力はＭｏｄｅｍ２０５０を介して受信側の機器と通信を行い、ＣＰＵ２００１が判断する。
【０１５２】
次に図１７を用いてネットワークを介して送信される場合の画像処理を示す。
【０１５３】
ネットワークを介して画像を送信する場合には４２０１のスキャナ２０１５またはＨＤＤ２００４から画像メモリ４２０２に対してパケットデータの集合としてカラーの画像データを転送し、次に画像メモリ４２０２のカラー画像データに対してｓＲＧＢを持つ色空間への変換を色空間変換２０２１を使用して行い、画像メモリ４２０４に色空間変換の終了した画像を転送する。
【０１５４】
次にあらかじめユーザーによってＲＡＭ２００２またはＨＤＤ２００４に格納された付加情報をもつカラー画像データを画像メモリ４２０６に転送する。
【０１５５】
画像メモリ４２０６に転送された画像データは、前述のスキャナ２０１５またはＨＤＤ２００４から画像メモリ４２０２に転送されたカラー画像データと同様に、ｓＲＧＢを持つ色空間への変換を、色空間変換２０２１を介して行われ、画像メモリ４２０８に格納される。
【０１５６】
画像メモリ４２０４と画像メモリ４２０８は合成処理を合成２０２３で行われた後画像メモリ４２１０に保存され、その後ネットワーク上のＰＣに送信するための画像処理として解像度変換を変倍２０２０で、回転処理を回転２０１９で、圧縮処理を圧縮処理を圧縮２０１２で行われた後画像メモリ４２１２に格納される。このとき解像度変換、回転処理、圧縮処理は前述のＦＡＸの場合と異なり、操作部２００６でユーザーが指示した解像度と回転処理、圧縮処理が操作部Ｉ／Ｆ２００５を介してＣＰＵ２００１に通知され、ＣＰＵ２００１で解像度変換、回転処理、圧縮処理が決定される。
【０１５７】
図１８を使って制御フローを説明する。
【０１５８】
まず、操作部２００６からユーザーによる送信指示がなされるまで待機状態になる。ユーザーは操作部２００６に表示される図９の画面の宛先表３１０８、読込設定３１０５、送信設定３１０６を押下することで送信方法を指定することができる（Ｓ４３０１〜Ｓ４３０２）。
【０１５９】
ＣＰＵ２００１はユーザーが操作部２００６に表示される宛先表３１０８、読込設定３１０５、送信設定３１０６を押下し、送信の設定をした後、図８のスタートキー２８０３を押下するのを監視する（Ｓ４３０３）。
【０１６０】
ユーザーがスタートキー２８０３を押したことをＣＰＵ２００１が操作部Ｉ／Ｆ２００５を介して通知された後、スキャナ２０１５から原稿を読み込みスキャナ画像処理２０１４、圧縮２０１２、ＩｍａｇｅＢｕｓＩ／Ｆ２０３１を介して画像データをＲＡＭ２００２に格納する（Ｓ４３０４）。
【０１６１】
その後ＣＰＵ２００１は操作部２００６でユーザーが合成を指定してきているかどうかを判断し（Ｓ４３０５）、合成の指示がある場合にはあらかじめ、付加情報を持つカラーの画像データをＨＤＤ２００４からＲＡＭ２００２に転送し（Ｓ４３０６）、次にユーザーが操作部２００６を使用して指示し、操作部Ｉ／Ｆ２００５を介して送られてきた送信設定を判別して送信画像の種別を判断する（Ｓ４３０７）。
【０１６２】
次にユーザーが図１０のカラーモード３２０３、解像度３２０４に従ってＨＤＤ２００４からＲＡＭ２００２に転送した付加情報を持つカラー画像データを色空間変換２０２１で変換し、合わせてスキャナ２０１５からＲＡＭ２００２に保存されたカラー画像データを色空間変換２０２１で変換する（Ｓ４３０８、Ｓ４３０９）。
【０１６３】
なお、ユーザーが図１０で「白黒多値」を選択した場合には同様に付加情報を持つカラー画像データをＨＤＤ２００４からＲＡＭ２００２に転送した付加情報を持つカラー画像データを色空間変換２０２１で変換し、合わせてスキャナ２０１５からＲＡＭ２００２に保存されたカラー画像データを色空間変換２０２１で変換する（Ｓ４３１４、Ｓ４３１５）。
【０１６４】
その後ＲＡＭ２００２に保存されているスキャナ２０１５から読み込み色空間変換された画像データと、ＨＤＤ２００４からＲＡＭ２００２に転送され、色空間変換された付加情報を持った画像データは合成２０２３で合成処理がなされる（Ｓ４３１０またはＳ４３１６）。
【０１６５】
合成処理された画像データは次にユーザーが操作部２００６に表示される図１０の解像度３２０４で指定した解像度変換と回転処理が変倍２０２０、回転２０１９で行われ（Ｓ４３１１またはＳ４３１７）、圧縮２０１２でＪＰＥＧ圧縮されＲＡＭ２００２に保存された後、Ｎｅｔｗｏｒｋ２００７を介して宛先表３１０８で指定されたネットワーク上の機器に送信される（Ｓ４３１３）。
【０１６６】
尚ユーザーが宛先をＦＡＸ機器に設定した場合には、Ｍｏｄｅｍ２０５０で相手先のＦＡＸ機器と能力交換を行い、ＣＰＵ２００１が解像度と回転処理、圧縮処理を決定した上で変倍２０２０と２値画像回転２０５２で解像度変換、回転処理が行われ（Ｓ４３２２）、その後２値画像圧縮・伸張２０５３で圧縮処理が行われる（Ｓ４３２３）。
【０１６７】
圧縮処理が行われた画像データはＲＡＭ２００２に一時的に保管された後、Ｍｏｄｅｍ２０５０、ＷＡＮ２０５１を介して指定されたＦＡＸ機器に送信される（Ｓ４３２４）。
【実施例２】
【０１６８】
ユーザーが読込設定３１０５を押下して、カラーモード３２０３を「自動」を選択した場合には、原稿読み込み（Ｓ４３０４）で次のような処理が行われる。
【０１６９】
スキャナ２０１５で読み込まれた画像データは図５の画像領域イネーブル生成２５１０をＲＧＢの色成分の信号として通過し、マスキング２５０１、色空間変換２５０５、文字／写真判定２５０８、特定原稿判定器２５０９にそれぞれ入力される。
【０１７０】
このとき色空間変換２５０５に入力されたＲＧＢの色成分の信号は比較器２５０６、カウンタ２５０７により、有彩色か無彩色かの判定がリアルタイムに行われ有彩色である場合にはカウンタ２５０７がカウントアップされる。
【０１７１】
スキャナ２０１５が原稿を読み終わり、画像データがＲＡＭ２００２に保存された時点でＣＰＵ２００１はカウンタ２５０７の値を判定し、ある閾値以上であれば読み込んだ原稿がカラー画像であると判断して（Ｓ４３０７）、送信画像種別の判断でカラー画像送信指示として以降の処理を行う（Ｓ４３０８、Ｓ４３０９、Ｓ４３１１、Ｓ４３１２、Ｓ４３１３）。
【０１７２】
またある閾値以下である場合には読み込んだ原稿が白黒画像であると判断して（Ｓ４３０７）、送信画像種別の判断で白黒画像送信指示が行われたものとして以降の処理を行う（Ｓ４３１４、Ｓ４３１５、Ｓ４３１６、Ｓ４３１７、Ｓ４３１８、Ｓ４３１３）。
【図面の簡単な説明】
【０１７３】
【図１】画像形成システムの全体構成を示す図
【図２】画像形成装置の全体構成を示す図
【図３】パケット画像と画像全体の関係図
【図４】パケット画像の構造を示す図
【図５】本発明のスキャナ画像処理のブロック図
【図６】本発明のプリンタ画像処理のブロック図
【図７】画像形成装置の入出力デバイス外観図
【図８】画像形成装置の操作部外観図
【図９】本発明の操作部の送信画面の説明図
【図１０】本発明の操作部の送信画面の詳細説明図
【図１１】本発明の操作部のコピー画面の説明図
【図１２】本発明の操作部のボックス画面の説明図
【図１３】本発明の操作部のボックス画面の詳細説明図
【図１４】本発明のソフト構成を示すソフト構成図
【図１５】合成送信処理の画像フローを示す図
【図１６】ＦＡＸを介して送信される場合の画像処理を示す図
【図１７】ネットワークを介して送信される場合の画像処理を示す図
【図１８】合成送信処理のフローチャート
【符号の説明】
【０１７４】
２００６  操作部
２０１５  スキャナ
２０１７  プリンタ
２０１１  ＬＡＮ
【図１】
2007013841.tif 000003
【図２】
2007013841.tif 000004
【図３】
2007013841.tif 000005
【図４】
2007013841.tif 000006
【図５】
2007013841.tif 000007
【図６】
2007013841.tif 000008
【図７】
2007013841.tif 000009
【図９】
2007013841.tif 000010
【図１０】
2007013841.tif 000011
【図１１】
2007013841.tif 000012
【図１２】
2007013841.tif 000013
【図１３】
2007013841.tif 000014
【図１４】
2007013841.tif 000015
【図１５】
2007013841.tif 000016
【図１６】
2007013841.tif 000017
【図１７】
2007013841.tif 000018
【図１８】
2007013841.tif 000019
【図８】
2007013841.tif 000020